(57)【要約】【課題】ハウラ信号を加入者回線の伝送損失に見合った出力レベルに自動制御する。【解決手段】伝送損失測定回路１１は加入者線１５の伝送損失を測定し、ハウラ信号レベル制御回路１３は、伝送損失の測定結果を元に、アナログ電話機１６に印加しようとするハウラ信号レベルが予め保守者が設定した値になるようにハウラ信号出力レベルを決定する。ハウラ信号送出回路１２は、決定されたハウラ信号出力レベルに調整したハウラ信号を送出する。伝送損失測定回路は、アナログ電話機の交流インピーダンスと等しい基準インピーダンスをハウラ信号源および加入者線と直列に接続し、基準インピーダンス端の交流電圧および加入者線との接続端子間の交流電圧を測定する手段を備える。【選択図】図１
2008098715.tif 000002
【特許請求の範囲】
【請求項１】
電話交換システムのアナログ電話機に対するハウラ信号送出装置において、
加入者線の伝送損失を測定する伝送損失測定手段と、
前記伝送損失の測定結果を元に、アナログ電話機に印加しようとするハウラ信号レベルが予め保守者が設定した値になるようにハウラ信号出力レベルを決定する制御手段と、
前記決定されたハウラ信号出力レベルに調整したハウラ信号を送出するハウラ信号送出手段を具備することを特徴とするハウラ信号送出装置。
【請求項２】
前記伝送損失測定手段は、前記ハウラ信号送出手段と前記加入者線との間に挿入され、
前記アナログ電話機の交流インピーダンスと等しい基準インピーダンスをハウラ信号源および前記加入者線と直列に接続し、
前記基準インピーダンス端の交流電圧および前記加入者線との接続端子間の交流電圧を測定する手段を備えたことを特徴とする請求項１記載のハウラ信号送出装置。
【請求項３】
請求項１または請求項２記載のハウラ信号送出装置におけるハウラ信号出力レベル制御方法において、
アナログ電話機に印加しようとするハウラ信号の最大出力レベルを予め登録する段階と、
ハウラ信号送出時には、加入者線を加入者回路側からハウラ信号送出回路側に切り替えることによりハウラ信号を送出する段階と、
送出されるハウラ信号による前記アナログ電話機の交流インピーダンスと等しい基準インピーダンス端の交流電圧、および前記加入者線との接続端子間の交流電圧を測定する段階と、
前記測定の結果と前記基準インピーダンスにより前記加入者線の交流インピーダンスを算出する段階と、
前記加入者線の交流インピーダンスにより前記加入者線の伝送損失を算出する段階と、
測定された伝送損失と前記最大出力レベルとからハウラ信号のレベルを制御する段階を有することを特徴とするハウラ信号出力レベル制御方法。
【請求項４】
前記伝送損失測定は、電話交換システムがハウラ信号を送出しようとする度に実行されることを特徴とする請求項３記載のハウラ信号出力レベル制御方法。
【請求項５】
前記ハウラ信号レベルの調整は、電話交換システムがハウラ信号を送出しようとする度に実行されることを特徴とする請求項３または請求項４記載のハウラ信号出力レベル制御方法。
【発明の詳細な説明】
【技術分野】
【０００１】
本発明は、局用交換機，ＰＢＸなどの電話交換システムのアナログ電話機に対するハウラ信号送出に関する。ハウラ信号とは、電話機を使用していないのにハンドセットが外れている場合に、交換機側から送出する大音量の警告音（ハウラ音）を出すための信号をいう。
【背景技術】
【０００２】
従来、この種のハウラ信号送出方法では、ハウラ信号が、電話交換システム内に備えられたハウラ信号送出回路から、リレーを介して直接、または時分割スイッチと加入者回路内のコーデック、ハイブリッド回路を介して電話機に送出されていた（文献公知発明に係るものではない）。そして、何れの場合も加入者線の伝送損失の大小に関わらず出力レベル値が固定であった。例えば、ＮＴＴの技術参考資料である「電話サービスのインタフェース第５版」に示されるハウラ信号は、出力レベルが＋３６ｄＢｍ以下または−１ｄＢｍ以下の２種類が定められている。
【０００３】
上述のハウラ信号送出方式の一例を図３に示す。図３において、空き状態または通話状態であるときは、アナログ電話機１６，加入者線１５，端子Ｌ１，端子Ｌ２，リレー１４，加入者回路１０が順に接続される。一方、ハウラ信号送出時には、アナログ電話機１６，加入者線１５，端子Ｌ１，端子Ｌ２、リレー１４，アナログハウラ信号送出回路３１が順に接続される。端子Ｌ１，端子Ｌ２からリレー１４側が電話交換システムである。
【０００４】
アナログハウラ信号送出回路３１は一般的に信号レベル＋３６ｄＢｍ以下、周波数４００Ｈｚから８００Ｈｚの辺りの任意の固定値のハウラ信号を出力する。ハウラ信号はアナログハウラ信号送出回路３１からリレー１４，端子Ｌ１，端子Ｌ２，加入者線１５を介して電話機１６に到達しアナログ電話機１６からハウラ音が聞こえる仕組みとなっている。
【０００５】
次に、本願発明に関連のある文献公知発明を２つ挙げる。先ず、通話信号の送信レベルを可変制御する技術として、受信信号のレベルから公衆網における通話ロスの大きさを検出し、目標よりも受信レベルが低い場合、その目標レベルとの差分だけ送信信号のレベルを上げる旨の送信レベル増幅指示を出力するという技術が知られている（例えば、特許文献１参照）。
【０００６】
また、ハウラ音を大きくする技術として、一定レベルのハウラを送出するハウラ送出回路を使用し、時分割可変伝送損失挿入装置において挿入される損失を段階的に減少させるようにした技術も知られている（例えば、特許文献２参照）。
【０００７】
【特許文献１】特開２０００−０５１３６１号公報（第４頁−第５頁、図２）
【特許文献２】特開昭５６−０５７３７５号公報（第５頁、図１）
【発明の開示】
【発明が解決しようとする課題】
【０００８】
しかしながら、図３に示した従来技術では、ハウラ信号の出力レベルが最大＋３６ｄＢｍのように大きい値に設計された電話交換システムでは、ハウラ信号を出力中の回線の加入者線と隣接する回線の加入者線の間でハウラ信号が電磁誘導するため、隣接回線が通話中である場合は漏話による伝送品質の劣化が発生するという問題点がある。即ち、利用者が漏話によるハウラ音を聞かされることになる。その理由は、電話交換システムから引き出される加入者線の伝送損失は多種多様であり、伝送損失が小さい場合があるにも関わらずハウラ信号の出力レベルが大きい値に固定であり、加入者回路毎に調整する手段が無いからである。この場合、ハウラ信号送出中に利用者がアナログ電話機のハンドセットを耳に当てたときに過大な音響により身体的な障害を受ける恐れもある。
【０００９】
一方、ハウラ信号の出力レベルが最大−１ｄＢｍのように小さい値に設計された電話交換システムでは、加入者線の伝送損失が大きい場合、アナログ電話機に到達するハウラ信号レベルが小さくなり利用者に聞こえにくいため、ハウラ音が聞こえることでアナログ電話機のハンドセットが外れていることを知らせるというハウラ信号の目的が達せられないことになる。
【００１０】
また、特許文献１記載の技術では、伝送損失の測定は対向装置からの既知の信号が到来することを前提にしているが、通話時はともかく、ハウラ送出時には、電話機側から交換機側に対して信号が出ていないため、交換機側で受信信号の通話レベルを測定することができないので、ハウラ信号の出力レベルを制御することができない。
【００１１】
また、特許文献２記載の技術は、ハウラ音を無音から徐徐に大きくしていくためにレベルを変化させることに関する技術であって、時分割スイッチに相当する回路にて加入者回路毎のハウラ信号送出レベルは固定の値に設定しており、ハウラ信号レベルの上限値を適切に設定するものではない。
【００１２】
本発明の目的は、ハウラ信号の大きさを適切な値に自動的に制御することができるハウラ信号送出装置およびハウラ信号出力レベル制御方法を提供することにある。
【課題を解決するための手段】
【００１３】
本発明のハウラ信号送出装置は、電話交換システムのアナログ電話機（図１の１６）に対するハウラ信号送出装置において、加入者線（図１の１５）の伝送損失を測定する伝送損失測定手段（図１の１１）と、伝送損失の測定結果を元に、アナログ電話機に印加しようとするハウラ信号レベルが予め保守者が設定した値になるようにハウラ信号出力レベルを決定する制御手段（図１の１３）と、決定されたハウラ信号出力レベルに調整したハウラ信号を送出するハウラ信号送出手段（図１の１２）を具備することを特徴とする。
【００１４】
より詳しくは、伝送損失測定手段（図２の１１）は、ハウラ信号送出手段（図２の１２）と加入者線との間に挿入され、アナログ電話機の交流インピーダンス（図２の２４）と等しい基準インピーダンス（図２の２２）をハウラ信号源（図２の２１）および加入者線と直列に接続し、基準インピーダンス端の交流電圧（図２のＶ1）および加入者線との接続端子間の交流電圧（図２のＶ2）を測定する手段を備えたことを特徴とする。
【００１５】
本発明のハウラ信号出力レベル制御方法は、上記ハウラ信号送出装置において、アナログ電話機に印加しようとするハウラ信号の最大出力レベルを予め登録する段階と、ハウラ信号送出時には、加入者線を加入者回路側からハウラ信号送出回路側に切り替えることによりハウラ信号を送出する段階と、送出されるハウラ信号によるアナログ電話機の交流インピーダンスと等しい基準インピーダンス端の交流電圧、および加入者線との接続端子間の交流電圧を測定する段階と、測定の結果と基準インピーダンスにより加入者線の交流インピーダンスを算出する段階と、加入者線の交流インピーダンスにより加入者線の伝送損失を算出する段階と、測定された伝送損失と最大出力レベルとからハウラ信号のレベルを制御する段階を有することを特徴とする。
【００１６】
より詳しくは、伝送損失測定は、電話交換システムがハウラ信号を送出しようとする度に実行される。また、ハウラ信号レベルの調整は、電話交換システムがハウラ信号を送出しようとする度に実行される。
【発明の効果】
【００１７】
本発明によれば、電話交換システムがハウラ信号を送出しようとするたびに、伝送損失測定手段が加入者線の伝送損失を測定し、その結果から制御手段が加入者線の伝送損失を元に、アナログ電話機に印加しようとするハウラ信号レベルが予め保守者が設定した値になるようにハウラ信号出力レベルを決定し、ハウラ信号送出手段がハウラ信号出力レベルを調整するため、ハウラ信号が大きい場合の漏話による不具合の防止と、過大な音響による身体的な障害の防止と、ハウラ信号レベルが小さい場合のハウラ信号が聞こえない不具合を防止することができる。また、これらを改善しようとしたときの電話交換システムの保守者の負担と工数が軽減される。
【発明を実施するための最良の形態】
【００１８】
以下、本発明の実施の形態について図面を参照して説明する。
【００１９】
［構成の説明］
図１は、本発明のハウラ信号送出装置の一実施例を示すブロック図である。図１において、伝送損失測定回路１１とハウラ信号送出回路１２は、ハウラ信号レベル制御回路１３に接続されている。ハウラ信号送出時は、加入者線１５の一方に端子Ｌ１、端子Ｌ２とリレー１４を介して、伝送損失測定回路１１、ハウラ信号送出回路１２の順に接続され、加入者線１５の他方にアナログ電話機１６が接続される。
【００２０】
一方、回線が空きの場合と通話時は、加入者線１５の一方に端子Ｌ１、端子２とリレー１４を介して加入者回路１０が接続され、加入者線１５の他方にアナログ電話機１６が接続される。
【００２１】
リレー１４の接点は、ハウラ信号送出時にハウラ信号送出回路１２側を向き、回線が空きの場合と通話時は加入者回路１０側を向く。端子Ｌ１、端子Ｌ２からリレー１４側が電話交換システムである。
【００２２】
ハウラ信号送出回路１２は、リレー１４の接点がハウラ信号送出回路１２側に向くとハウラ信号を送出する。ハウラ信号は、３秒から１５秒の間に無音から最大出力レベルへ連続変化する仕様が一般的である。この最大出力レベルは、ハウラ信号レベル制御回路１３からの指示により制御される。
【００２３】
伝送損失測定回路１１は、ハウラ信号送出回路１２が送出するハウラ信号を用いて、加入者線１５の伝送損失を測定して、その結果をハウラ信号レベル制御回路１３に通知する。
【００２４】
ハウラ信号レベル制御回路１３は、伝送損失測定回路１１の出力と、保守者が予め電話交換システムに登録したアナログ電話機１６に印加しようとするハウラ信号レベルを比較することにより、適切なハウラ信号出力レベルをハウラ信号送出回路１２に指示する。
【００２５】
［動作の説明］
次に、本実施例におけるハウラ信号の出力レベル制御動作について説明する。保守者は、電話交換システムに登録したアナログ電話機１６に印加しようとするハウラ信号の最大出力レベルをハウラ信号レベル制御回路１３に予め登録する。
【００２６】
図１において、ハウラ信号送出時には、リレー１４の接点がハウラ信号送出回路１２側に向くことによりハウラ信号送出可能となる。伝送損失測定回路１１は、このハウラ信号送出回路１２が送出するハウラ信号を用いて加入者線１５の伝送損失を測定する。当初、ハウラ信号送出回路１２は、適当な最大出力レベルのハウラ信号を出力している。
【００２７】
図２は上記のハウラ信号送出装置における伝送損失測定系統の等価回路を示す。伝送損失測定回路１１では、伝送損失測定回路１１の内部に備えた基準インピーダンス（Ｚref）２２に加わる電圧を交流電圧計２５により、また端子Ｌ１と端子Ｌ２の間に加わる電圧を交流電圧計２６により測定する。測定周波数が音声帯域（２００Ｈｚから３４００Ｈｚ）であるとき、一般的なアナログ電話機１６の交流インピーダンス（Ｚterm）２４は６００Ω前後であることが周知であるので、Ｚref＝Ｚtermに選定する。
【００２８】
いま、加入者線１５の交流インピーダンス２３をＺline、Ｚtermの電圧をＶterm、Ｚlineの電圧をＶlineとすると、
Ｚterm：Ｚline＝Ｖterm：Ｖline
∴Ｚline＝（Ｚterm／Ｖterm）×Ｖline
Ｖterm＝Ｖ1、Ｖline＝Ｖ2−Ｖ1
であるから、Ｚline＝Ｚterm／Ｖ1×（Ｖ2−Ｖ1）
となり、交流電圧Ｖ1とＶ2を測定することにより、加入者線１５の交流インピーダンス（Ｚline）２３を求めることができる。交流インピーダンスが求まれば、加入者線１５の伝送損失測定回路１１において伝送損失を容易に算出することができる。もちろん、このような伝送損失を求める方法は各種存在し、ここではその一例を示したに過ぎない。
【００２９】
伝送損失測定回路１１は、このようにして求めた伝送損失をハウラ信号レベル制御回路１３に通知する。ハウラ信号レベル制御回路１３は、伝送損失測定回路１１の出力と、保守者が予め電話交換システムに登録したアナログ電話機１６に印加しようとするハウラ信号レベルを比較することにより、適切なハウラ信号出力レベルをハウラ信号送出回路１２に指示する。
【００３０】
例えば、アナログ電話機１６に印加しようとするハウラ信号の最大出力レベルが＋３ｄＢｍ、加入者線１５の伝送損失が−７ｄＢであった場合、ハウラ信号レベル制御回路１３はハウラ信号送出回路１２に、＋１０ｄＢｍのハウラ信号を出力するよう指示することになる。
【００３１】
ハウラ信号送出回路１２からはハウラ信号レベル制御回路１３に指示された出力レベルのハウラ信号が送出されることになる。なお、ハウラ信号は、３秒から１５秒の間に無音から最大出力レベルへ連続変化する仕様が一般的であるが、伝送損失測定は瞬時に完了するため、ハウラ信号レベル制御回路１３がハウラ信号送出回路１２にハウラ信号出力レベルの指示を行う前に、ハウラ信号出力が最大レベルに至ることがなく、ハウラ信号レベル制御回路１３が指示した値がハウラ信号出力レベルの最大値となる。
【００３２】
なお、ハウラ信号レベル制御回路１３の機能を電話交換システムのＣＰＵ（中央処理装置）が実行してもよいし、アナログ電話機１６に印加しようとするハウラ信号レベルを特定の値に決めて、加入者線の伝送損失との関係式を組み込んだロジック回路としてもよい。
【図面の簡単な説明】
【００３３】
【図１】本発明のハウラ信号送出装置の一実施例を示すブロック図
【図２】図１のハウラ信号送出装置における伝送損失測定系統の等価回路を示す図
【図３】従来のハウラ信号送出装置の一例を示すブロック図
【符号の説明】
【００３４】
１０  加入者回路
１１  伝送損失測定回路
１２  ハウラ信号送出回路
１３  ハウラ信号レベル制御回路
１４  リレー
１５  加入者線
１６  アナログ電話機
２１  信号源
２２  基準インピーダンス
２３  線路の交流インピーダンス
２４  電話機の交流インピーダンス
２５  交流電圧計
２６  交流電圧計
３１  アナログハウラ信号送出回路
Ｌ１  端子
Ｌ２  端子
【図１】
2008098715.tif 000003
【図２】
2008098715.tif 000004
【図３】
2008098715.tif 000005